(57)【要約】【課題】捕獲効率が悪い上、侵入口より捕獲器本体内が見通せるため、警戒心の強いネズミを捕獲しにくい。【解決手段】箱形に形成された捕獲器本体１の上面板１ｂに、１個以上の侵入口２を開口し、上記捕獲器本体１内に、ネズミを粘着する粘着手段４を設けたもので、捕獲効率が向上すると共に、侵入口２より捕獲器本体１内が見通せないため、警戒心の強いネズミでも容易に捕獲することができる。【選択図】図１
2006254923.tif 000002
【特許請求の範囲】
【請求項１】
箱形に形成された捕獲器本体１の上面板１ｂに、１個以上の侵入口２を開口し、上記捕獲器本体１内に、ネズミを粘着する粘着手段４を設けたことを特徴とするネズミ捕獲器。
【請求項２】
上面板１ｃに開口された侵入口２に、長手方向に切り込み６ａを有する薄膜６を張設したことを特徴とする請求項１記載のネズミ捕獲器。
【請求項３】
上面板１ｃに、周囲と中央に切り込み２ｃ，２ｄを入れることにより侵入口２を形成したことを特徴とする請求項１記載のネズミ捕獲器。
【請求項４】
捕獲器本体１を紙などの可燃材料により形成したことを特徴とする請求項１乃至請求項３記載のネズミ捕獲器。
【発明の詳細な説明】
【技術分野】
【０００１】
この発明はネズミの侵入口を改善したネズミ捕獲器に関する。
【背景技術】
【０００２】
従来この種のネズミ捕獲器としては、例えば特開平５−７０２８０号公報や、特開平８−１１６８５４号公報、特許第２６９４３３８号公報に記載されたものが公知である。
【０００３】
上記特開平５−７０２８０号公報に記載されたネズミ捕獲器は、角筒状の筒体の両端に、上端側が扉支軸により回動自在に支承された扉が設けられていて、筒体内に設置されたエサに誘引されたネズミが両端部の侵入口より扉を開けて筒体内へ侵入すると、侵入口の扉が閉まって、筒体内よりネズミが出られないようにしたもので、習性の異なるモグラも捕獲できるように構成されている。
【０００４】
また特開平８−１１６８５４号公報に記載のネズミ捕獲器は、両端が開口したネズミ捕獲器内に粘着紙とエサを置いて、エサに誘引されたネズミがネズミ捕獲器内に侵入すると、ネズミに粘着紙が粘着して、ネズミを捕獲するようにしたものである。
【０００５】
さらに特許第２６９４３３８号公報に記載のネズミ捕獲器は、両端に侵入口を有する捕獲器本体内に、天井の低い通路を設け、この通路の天井に粘着面を設けて、侵入口より侵入したネズミやゴキブリが通路を通過しようとすると、天井の粘着具にネズミやゴキブリの背中が粘着されて、ネズミやゴキブリを捕獲するようにしたものである。
【特許文献１】特開平５−７０２８０号公報
【特許文献２】特開平８−１１６８５４号公報
【特許文献３】特許第２６９４３３８号公報
【発明の開示】
【発明が解決しようとする課題】
【０００６】
しかし上記何れの公報のネズミ捕獲器も、捕獲器本体の両端などの２個所のネズミの侵入口を設けた構造のため、捕獲器本体内へネズミが侵入する確率が低く、その結果ネズミの捕獲率も低いなどの不具合がある。
また特開平８−１１６８５４号公報や、特許第２６９４３３８号公報記載のネズミ捕獲器では、侵入口より捕獲器本体内が見通せるため、警戒心の強いネズミは、侵入口より捕獲器本体内を覗くだけで逃げ出すことが多いことから、ネズミを効率よく捕獲することができないなどの不具合もある。
【０００７】
この発明はかかる従来の不具合を改善するためになされたもので、捕獲器本体の周囲や上面に多くの侵入口を有し、かつ侵入口より捕獲器本体が見通せないようにしたネズミ捕獲器を提供して、ネズミの捕獲が効率よく行えるようにすることを目的とするものである。
【課題を解決するための手段】
【０００８】
上記目的を達成するため、請求項１に記載の発明は、箱形に形成された捕獲器本体の上面板に、１個以上の侵入口を開口し、上記捕獲器本体内に、ネズミを粘着する粘着手段を設けたものである。
【０００９】
上記目的を達成するため、請求項２に記載の発明は、上面板に開口された侵入口に、長手方向に切り込みを有する薄膜を張設したものである。
【００１０】
上記目的を達成するため、請求項３に記載の発明は、上面板に、周囲と中央に切り込みを入れることにより形成したものである。
【００１１】
上記目的を達成するため、請求項４に記載の発明は、捕獲器本体を紙などの可燃材料により形成したものである。
【発明の効果】
【００１２】
この発明は、箱形に形成された捕獲器本体の上面板に、１個以上の侵入口を開口したことから、捕獲器本体に設けられた多くの侵入口よりネズミが侵入する確率が上がるため、ネズミの捕獲率も向上する。
【００１３】
また捕獲器本体が箱形構造のため、捕獲されたネズミの糞、尿などで周囲を汚損することがない上、捕獲したネズミを見ずに処理できるため、処理時使用者に不快感や恐怖心を与えることが少ない。
【００１４】
さらに上面板に開口された侵入口に、長手方向に切り込みを有する薄膜を張設したことから、上面板の侵入口へネズミが乗ると、ネズミの重みで薄膜が切り込みより開放して、ネズミが捕獲器本体内へ落下し、粘着手段により粘着捕獲されるようになると共に、上面板に、周囲と中央に切り込みを入れることにより形成すれば、別部材を使用せずに上面板に侵入口を形成できるため、安価にネズミ捕獲器が提供できる。
【００１５】
しかも捕獲器本体を紙などの可燃材料により形成したことから、ネズミを捕獲したら、可燃ごみとして廃棄することができるため、後処理が容易に行えるようになる。
【発明を実施するための最良の形態】
【００１６】
この発明の実施の形態を図面を参照して詳述する。
図１はネズミ捕獲器の斜視図、図２は同縦断面図、図３及び図４は侵入口の変形例を示す説明図である。
【００１７】
これら図において１は捕獲器本体で、厚紙などの可燃性材料により長方体状の箱形に形成されており、両端板１ａの下部側隅角部にそれぞれ２個所、上面板１ｂのほぼ中央部に１個所の計５個所に侵入口２が開口されている。捕獲器本体１の両端板１ａに開口された侵入口２は、左右が同径もしくは、一方が大径、そして他方が小径に形成されていて、種類の異なるネズミが侵入できるよう、大径な侵入口２はクマネズミなどの大型のネズミが侵入できる大きさに、そして径の小さな侵入口２は、ハツカネズミや子ネズミが侵入できる大きさに、そして中径の侵入口はイエネズミが侵入できる大きさに、それぞれ口径が設定されていると共に、これら侵入口２の内側には、侵入口２より捕獲器本体１内が容易に見通せないよう、筒体３によりトンネル状に形成されている。
【００１８】
上記筒体３は、捕獲器本体１の側板１ｃ内面に沿って水平に固着されていて、一端側が侵入口３に接続されていると共に、他端側は捕獲器本体１内のほぼ中央に設置された粘着手段４の受け皿４ａ近傍に達している。
上記粘着手段４は高さの低い周壁により周囲が囲まれた角皿状の受け皿４ａ内に、例えばポリブテンよりなる粘着面４ｂを形成したもので、ネズミがこの粘着面４ｂに触れると、ネズミに粘着して、捕獲器本体１内より脱出できないようにするもので、捕獲器本体１内へネズミを誘引するため、粘着面４ｂの中央部にエサ５が設置できるようになっている。
【００１９】
一方捕獲器本体１の上面板１ｂに設けられた侵入口２は、上面板１ｂ上に乗ったネズミを捕獲器本体１内へ落とし込む落とし穴としての機能を有するもので、上面板１ｂの長手方向に細長いほぼ楕円状の開口部２ａに樹脂フィルムよりなる薄膜６が、上面板１ｂの内側より貼着されている。
上記開口部２ａはクマネズミ等の大型のネズミでも落とし込める大きさとなっていると共に、薄膜の中央には、長手方向の長さ一杯に切り込み６ａが形成されていて、この切り込み６ａにより捕獲器本体１内にネズミが落とし込めるようになっている。
【００２０】
なお薄膜６は不透明となるように着色すれば、侵入口２より捕獲器本体１内を見通せないので、警戒心の強いネズミでも捕獲することができるが、捕獲器本体１内に設置したエサ５がよく見えるように透明または半透明にしてもよい。
【００２１】
次に上記構成されたネズミ捕獲器の作用を説明する。
ネズミを捕獲するに当たっては、ネズミを効率よく捕獲するため、ネズミを捕獲器本体１内へ誘引するエサ５を粘着面４ｃの中央部に設置したら、捕獲器本体１をネズミの出そうな場所へ設置する。
ネズミは捕獲器本体１内に設置されたエサ５の臭いなどに誘引されて、捕獲器本体１の周囲に達すると、侵入口２より捕獲器本体１内を覗くが、捕獲器本体１の両側板１ａに開口された侵入口２は、筒体３によりトンネル状となっていて、捕獲器本体１内を容易に見通すことができないので、警戒心の強いネズミでも侵入口２より捕獲器本体１内へ侵入する。
【００２２】
捕獲器本体１内に侵入したネズミは、筒体３を通り抜けたところでエサ５に達するが、エサ５の周囲は粘着面４ｂとなっているため、エサ５に到達したところで、足や体に粘着面４ｂが粘着し捕獲される。
また両端板１ａに開口された侵入口２より侵入せず、捕獲器本体１の上面板１ｂに登ったネズミは、上面板１ｂに開口された落とし穴構造の侵入口２より捕獲器本体１内に落下して、侵入口２の下方に設置された粘着手段４の粘着面４ｂに粘着され、捕獲される。
【００２３】
以上のように捕獲器本体１の周辺や上面に多くの侵入口２が開口されていることから、捕獲記本体１内へネズミが侵入する確率が上がり、これによってネズミの捕獲率も向上すると共に、侵入口２より捕獲器本体１内が容易に見通せないため、警戒心の強いネズミでも、容易に捕獲することができるようになる。
つまり箱状に形成された捕獲器本体１の両端板１ａと両側板１ｃ及び上面板１ｂの少なくとも２面に１個所以上の侵入口２を開口すると共に、両端板１ａや両側板１ｃに開口された侵入口２には、筒体３を接続してトンネル状としたことから、捕獲器本体１に設けられた多くの侵入口２よりネズミが侵入する確率が上がるため、ネズミの捕獲率も向上すると共に、侵入口２に接続された筒体のトンネル効果により、侵入口２より捕獲器本体１内が見通せないため、警戒心の強いネズミであっても、容易に捕獲することができる。
【００２４】
また捕獲器本体１内にネズミが捕獲されたら、捕獲器本体１ごと可燃ゴミとして廃棄することができるため、捕獲後の処理も容易である。
【００２５】
なお上記実施の形態では、捕獲器本体１の両端板１ａと上面板１ｂに侵入口２を設けたが、両側板１ｃにも設けても勿論よい。
【００２６】
また両端板１ａに開口された侵入口２に接続する筒体３は、図３の変形例に示すように、侵入口２より奥に行くに従い順次径が小さくなるテーパ状にして、周囲に軸線方向に複数のスリット３ａを形成してもよい。
これによってネズミはスリット３ａより筒体３を押し広げながら捕獲器本体１内へ侵入し、筒体３を通り抜けると、筒体３の弾性により径が縮小して、ネズミが出られなくなるため、粘着面４ｂに粘着しないネズミでも、逃げようとして捕獲器本体１内を走り回っている間に、粘着面４ｂに確実に粘着させることができる。
つまり侵入口２に接続された筒体３を、侵入口２側より順次奥へ小径となるテーパ状に形成し、かつ筒体３の周囲に、軸線に沿って複数のスリット３ａを形成したことから、侵入口２より侵入したネズミが筒体３を抜けると筒体３の弾性により径が縮小してネズミが逃げ出すのを阻止するため、捕獲器本体１内へ侵入したネズミを確実に捕獲することができる。
【００２７】
一方図４は捕獲器本体１の上面板１ｂに開口された侵入口２の変形例を示すもので、図４の（イ）は上面板１ｂに周辺の一部を折り線２ｂとして残して、周囲と中央に切り込み２ｃ，２ｄを形成したもので、ネズミが侵入口２に乗ると、ネズミの重みで切り込み２ｃ，２ｄより侵入口２が開口し、侵入口２に乗ったネズミを捕獲器本体１内へ落とし込むことができる。
【００２８】
また図４の（ロ）は侵入口２の開口部２ａに薄膜６を設けた侵入口２を複数個設けた変形例、図４の（ハ）は切り込み２ｃ，２ｄで形成した侵入口２を複数個設けた変形例を示すもので、何れも侵入口２の数が増すため、捕獲率を上げることができる。
【００２９】
さらに図５及び図６は捕獲器本体１の変形例を示すもので、次にこれを説明する。
この捕獲器本体１の変形例では、両端板１ａに開口された長方形状の侵入口２の下辺を内側へ折り返して、傾斜面１ｄを形成し、その上方に侵入口２より侵入したネズミが出られないようにするため逆止板１ｅを設けたものである。
【００３０】
逆止板１ｅは侵入口２の上辺を内側へ折り返すことにより形成されていて、侵入口２より捕獲器本体１内へ侵入したネズミが逃げようとして逆止板１ｅを押しても、逆止板１ｅが開かないように、逆止板１ｅの先端は傾斜面１ｄの上端に内側より係止できるようになっている。
また捕獲器本体１の意匠効果を高めるために、両端板１ａには猫などの動物の顔や、キャラクタなどが印刷などの手段で表示されている。
【００３１】
上記構成された捕獲器本体１は、内部に置かれたエサ５の匂いなどに誘引されて、侵入口２より逆止板１ｅを押し開けてネズミが捕獲器本体１内へ侵入すると、逆止板１ｅが閉じてネズミが出られなくなり、捕獲器本体１内を走り回っている間に、粘着面４ｂに粘着されて捕獲されるもので、逆止板１ｅにより捕獲器本体１内が見通せないため、警戒心の強いネズミも容易に捕獲することができる。
【図面の簡単な説明】
【００３２】
【図１】この発明の実施の形態になるネズミ捕獲器の斜視図である。
【図２】この発明の実施の形態になるネズミ捕獲器の縦断面図である。
【図３】この発明の実施の形態になるネズミ捕獲器に設けられた侵入口の変形例を示す一部切欠斜視図である。
【図４】（イ）ないし（ハ）はこの発明の実施の形態になるネズミ捕獲器に設けられた侵入口の変形例を示す一部切欠斜視図である。
【図５】この発明の実施の形態になるネズミ捕獲器の変形例を示す斜視図である。
【図６】この発明の実施の形態になるネズミ捕獲器の変形例を示す断面図である。
【符号の説明】
【００３３】
１…捕獲器本体、１ａ…両端板、１ｂ…上面板、１ｃ…両側板、２…侵入口、２ｃ，２ｄ…切り込み、３…筒体、３ａ…スリット、４…粘着手段、６…薄膜、６ａ…切り込み
【図１】
2006254923.tif 000003
【図２】
2006254923.tif 000004
【図３】
2006254923.tif 000005
【図４】
2006254923.tif 000006
【図５】
2006254923.tif 000007
【図６】
2006254923.tif 000008
【手続補正書】
【提出日】平成18年7月7日(2006.7.7)
【手続補正１】
【補正対象書類名】特許請求の範囲
【補正対象項目名】全文
【補正方法】変更
【補正の内容】
【特許請求の範囲】
【請求項１】
箱形に形成された捕獲器本体１の上面板１ｂに、１個以上の侵入口２を開口し、上記捕獲器本体１内に、ネズミを粘着する粘着手段４を設けたことを特徴とするネズミ捕獲器。
【請求項２】
上面板１ｂに開口された侵入口２に、長手方向に切り込み６ａを有する薄膜６を張設したことを特徴とする請求項１記載のネズミ捕獲器。
【請求項３】
上面板１ｂに、周囲と中央に切り込み２ｃ，２ｄを入れることにより侵入口２を形成したことを特徴とする請求項１記載のネズミ捕獲器。
【請求項４】
捕獲器本体１を紙などの可燃材料により形成したことを特徴とする請求項１乃至請求項３記載のネズミ捕獲器。
【手続補正２】
【補正対象書類名】明細書
【補正対象項目名】００２１
【補正方法】変更
【補正の内容】
【００２１】
次に上記構成されたネズミ捕獲器の作用を説明する。
ネズミを捕獲するに当たっては、ネズミを効率よく捕獲するため、ネズミを捕獲器本体１内へ誘引するエサ５を粘着面４ｂの中央部に設置したら、捕獲器本体１をネズミの出そうな場所へ設置する。
ネズミは捕獲器本体１内に設置されたエサ５の臭いなどに誘引されて、捕獲器本体１の周囲に達すると、侵入口２より捕獲器本体１内を覗くが、捕獲器本体１の両側板１ａに開口された侵入口２は、筒体３によりトンネル状となっていて、捕獲器本体１内を容易に見通すことができないので、警戒心の強いネズミでも侵入口２より捕獲器本体１内へ侵入する。
【手続補正３】
【補正対象書類名】図面
【補正対象項目名】図４
【補正方法】変更
【補正の内容】
【図４】
2006254923.tif 000009